(57)【要約】【課題】反りのない状態で個別情報や有効期限等の設定データを書き込む処理を行う処理部に載置することを可能としたカード供給装置及びカード供給方法を提供する。【解決手段】カードを供給するカード供給装置であって、複数のカードをストックするカードストック部と、カードを吸引する複数のカード保持部を有し、カードストック部から処理を行う１枚のカードを取り出し、カード搬送部に移送するカード取り出し部と、を備えたことを特徴とするカード供給装置。【選択図】図６
2013097502.tif 000002
【特許請求の範囲】
【請求項１】
カードを供給するカード供給装置であって、
複数のカードをストックするカードストック部と、
カードを吸引する複数のカード保持部を有し、カードストック部から処理を行う１枚のカードを取り出し、カード搬送部に移送するカード取り出し部と、を備えたことを特徴とするカード供給装置。
【請求項２】
前記複数のカード保持部はカードの四隅に対応する位置に備えられたことを特徴とする請求項１に記載のカード供給装置。
【請求項３】
前記複数のカード保持部はカードの四隅と中央部に対応する位置に備えられたことを特徴とする請求項１に記載のカード供給装置。
【請求項４】
設定データを書き込む処理を行う場合に使用されるパーソナライズ装置に用いられることを特徴とする請求項１に記載のカード供給装置。
【請求項５】
カードを供給するカード供給方法であって、
複数のカードをカードストック部にストックし、
ストックされた複数のカードから処理を行う１枚のカードを複数箇所吸引保持しながら取り出し、カード搬送部に移送することを特徴とするカード供給方法。
【請求項６】
前記ストックされた複数のカードから処理を行う１枚のカードの四隅を吸引保持して取り出すことを特徴とする請求項５に記載のカード供給方法。
【請求項７】
前記ストックされた複数のカードから処理を行う１枚のカードの四隅と中央部を吸引保持して取り出すことを特徴とする請求項５に記載のカード供給方法。
【請求項８】
設定データを書き込む処理を行う場合に使用されるパーソナライズ装置に用いられることを特徴とする請求項５に記載のカード供給方法。
【発明の詳細な説明】
【技術分野】
【０００１】
本発明は、例えばセキュリティ性を有する各種カードの発行処理を行う場合に用いられるパーソナライズ装置のカードストック部からカードを取り出して供給するカード供給装置に関するもので、更に詳しくは、カードストック部から、変形しやすいものや脆弱性がある基材の複数のカードから１枚を抜き出し搬送するカード供給装置及びカード供給方法に関するものである。
【背景技術】
【０００２】
クレジットカード事業者や都市銀行等の金融機関では、カードの不正使用対策を備えた様々なカードを発行している。カードは、ユーザ認証のための特定用途のみならず、クレジットカードやキャッシュカードと共通化することにより、更には、デビットカードを兼ねることにより、ユーザがより携帯しやすい環境になりつつある。
【０００３】
ところで、従来、上記カードにはパーソナライズ装置を用いて個別情報や有効期限等の設定データを書き込む処理を行っている。
【０００４】
個別情報や有効期限等の設定データを書き込む処理を行う場合に用いられるパーソナライズ装置のカード供給装置の一例を図１に示す。カードストック部１にストックされている複数のカード２ａより処理予定のカード２ｂを例えばフィーダー用コロ３によって抜き出した後、搬送レーン４で矢印７で示す方向に搬送し、処理部５で個別情報や有効期限等の設定データを書き込む処理を行っている。書き込み処理が行われたカード２ｃはカード収納部６に収納される。
【０００５】
図１に示すパーソナライズ装置のカードストック部１にストックされている複数のカード２ａより処理予定のカード２ｂをフィーダー用コロ３で搬送レーン４に送り込む場合に、カード２ｂとフィーダー用コロ３の摩擦によってカードの擦れ、ひび割れ、更には破壊といった問題が発生していた。
【０００６】
図１に示されるパーソナライズ装置のカードストック部１はカード２ａを横積みする場合を例示したものであるが、縦積みする方式も採用されている。図２は縦積み方式のカードストック部を備えたパーソナライズ装置のカード供給装置の一例を示す図である。カードストック部１１にストックされている複数のカード１２ａ（図２（ａ））より処理予定のカード１２ｂを例えば吸引ユニット１３によって吸引し、矢印１８で示す方向に抜き出した後、図示しない搬送レーンを介して矢印１７で示す方向に搬送し、処理部１４で個別情報や有効期限等の設定データを書き込む。書き込み処理が行われたカード１２ｃはカード収納部１５に収納される（図２（ｂ））。
【０００７】
図２に示す縦積み方式のパーソナライズ装置においては、カード１２ａが例えば、通常のプラスチックカードのようにしなやかさがなく、また高い剛性を有する基材ではなく一定の剛性を持つような紙（上質紙、特殊紙、コート紙など）基材のカードや、ＰＬＡ（ポリ乳酸）やＰＨＢ（ポリヒドロキシ酪酸）のようなプラスチックカード、あるいは重度の軟性をもつ紙やプラスチックカード、あるいは紙、プラスチックが各種コンパウンドされている基材においては、吸引ユニット１３によって吸引された場合には、処理部１５上に載置した際に図２（ｃ）に示すようにカード基材の反りが発生し、カード処理の異常発生の原因となる場合があった。
【０００８】
また、図１に示す横積み方式のパーソナライズ装置において、カード２ｂとフィーダー
用コロ３の摩擦によってカードが擦れる問題の対策として、図３に示すようにフィーダー用コロ３に替えて吸引ユニット２３によってカードストック部１のカード２ａから処理予定の１枚のカード２ｂを引き出すとしても、カード２ｂを上記処理部上に載置した際にカード基材の反りが発生し、カード処理の異常発生の原因を解決することは出来ない。
【先行技術文献】
【特許文献】
【０００９】
【特許文献１】特開平９−１３２３３４号公報
【特許文献２】特開平７−２１４８３号公報
【特許文献３】特開２０１１−２６１０２号公報
【発明の概要】
【発明が解決しようとする課題】
【００１０】
そこで本発明は通常のプラスチックカードのようにしなやかさがなく、一定の剛性を持つような紙（上質紙、特殊紙、コート紙など）基材のカードや、ＰＬＡやＰＨＢのようなプラスチックカード、重度の軟性をもつ紙やプラスチックカード、あるいは紙、プラスチックが各種コンパウンドされている基材を、反りのない状態で個別情報や有効期限等の設定データを書き込む処理を行う処理部に載置することを可能としたカード供給装置及びカード供給方法を提供することを目的とする。
【課題を解決するための手段】
【００１１】
課題を解決するための手段として、請求項１に記載の発明は、カードを供給するカード供給装置であって、
複数のカードをストックするカードストック部と、
カードを吸引する複数のカード保持部を有し、カードストック部から処理を行う１枚のカードを取り出し、カード搬送部に移送するカード取り出し部と、を備えたことを特徴とするカード供給装置である。
【００１２】
請求項２に記載の発明は、前記複数のカード保持部はカードの四隅に対応する位置に備えられたことを特徴とする請求項１に記載のカード供給装置である。
【００１３】
請求項３に記載の発明は、前記複数のカード保持部はカードの四隅と中央部に対応する位置に備えられたことを特徴とする請求項１に記載のカード供給装置である。
【００１４】
請求項４に記載の発明は、設定データを書き込む処理を行う場合に使用されるパーソナライズ装置に用いられることを特徴とする請求項１に記載のカード供給装置である。
【００１５】
請求項５に記載の発明は、カードを供給するカード供給方法であって、
複数のカードをカードストック部にストックし、
ストックされた複数のカードから処理を行う１枚のカードを複数箇所吸引保持しながら取り出し、カード搬送部に移送することを特徴とするカード供給方法である。
【００１６】
請求項６に記載の発明は、前記ストックされた複数のカードから処理を行う１枚のカードの四隅を吸引保持して取り出すことを特徴とする請求項５に記載のカード供給方法である。
【００１７】
請求項７に記載の発明は、前記ストックされた複数のカードから処理を行う１枚のカードの四隅と中央部を吸引保持して取り出すことを特徴とする請求項５に記載のカード供給方法である。
【００１８】
請求項８に記載の発明は、設定データを書き込む処理を行う場合に使用されるパーソナライズ装置に用いられることを特徴とする請求項５に記載のカード供給方法である。
【発明の効果】
【００１９】
本発明によるカード供給装置及びカード供給方法によれば、通常のプラスチックカードのようにしなやかさがなく、また高い剛性を有する基材ではなく一定の剛性を持つような紙（上質紙、特殊紙、コート紙などの）基材のカードや、プラスチックカード（ＰＬＡ、ＰＨＢなど）あるいは重度の軟性をもつ紙やプラスチックカード、あるいは紙、プラスチックが各種コンパウンドされている基材において、カードを抜き出し保持する際の歪みや亀裂、破壊の発生が抑制される。
【図面の簡単な説明】
【００２０】
【図１】パーソナライズ装置のカード供給装置の一例を示す図。
【図２】縦積み方式のカードストック部を備えたパーソナライズ装置のカード供給装置の一例を示す図である。（ａ）はカードストック部にストックされている複数のカードを示す。（ｂ）は吸引された後、搬送され、処理部で処理されるカードを示す。
【図３】処理部上に載置した際に発生するカード基材の反りを示す図。
【図４】本発明のカード供給装置の概略構成を示す図。
【図５】本発明に係るカードストック部を示す図。
【図６】本発明に係るカード取り出し部の一例を示す図。
【図７】本発明に係るカード取り出し部が５個のカード吸引ユニットを備えた場合を示す図。（ａ）は５個のカード吸引ユニット７２ａ〜７２ｅが備えられている場合を示す。（ｂ）はカード吸引ユニットによるカードの吸引位置を示す。
【図８】本発明に係る横積みタイプのカードストック部からカードを取り出すカード取り出し部を示す図。
【図９】本発明に係る縦積みタイプのカードストック部からカードを取り出すカード取り出し部を示す図。
【図１０】取り出されたカードが平面に載置された場合の反り量を示す図。
【図１１】実施例、比較例でのカードを吸引する位置を示す図。（ａ）はカード吸引ユニットによってカードの中央より右に寄った部分で吸引する位置を示す。（ｂ）はカードの中央を吸引する位置を示す。（ｃ）はカードの四隅を吸引する位置を示す。（ｄ）は吸引するカードの四隅と中央部の位置を示す。
【発明を実施するための形態】
【００２１】
以下、図面を用いて本発明を実施する形態を詳細に説明する。
【００２２】
図４は本発明のカード供給装置の概略構成を示す図である。カード供給装置３１はカードに個別情報や有効期限等の設定データを書き込む処理を行う場合に用いられるパーソナライズ装置３０において、書き込み処理を行う処理部３５にカードを供給するものであって、複数のカードをストックするカードストック部３２と、カードを吸引する複数のカード保持部を有しカードストック部３２から処理を行う１枚のカードを取り出し、カード搬送部３４に移送するカード取り出し部３３と、を備えている。処理部３５で書き込み処理が行われたカードは、カード収納部３６に収納される。
【００２３】
図５はカードストック部を示す図である。図５（ａ）に示すカードストック部４１は複数のカード４２を横積みするタイプのもので、カードストック部４１にストックされた複
数のカード４２は矢印４３に示す方向から図示しない押し上げピンで押し上げられ、最上段のカード４２ａの縦方向の位置を一定に保っている。最上段のカード４２ａは後で説明するカード取り出し部によって矢印４４で示す方向に取り出される。
【００２４】
図５（ｂ）に示すカードストック部５１は複数のカード５２を縦積みするタイプのもので、カードストック部５１は複数のカード５２を横積みするタイプのもので、カードストック部５１にストックされた複数のカード５２は矢印５３に示す方向から図示しない押し出しピンで押し出され、右端のカード５２ａの横方向の位置を一定に保っている。右端のカード５２ａは後で説明するカード取り出し部によって矢印５４で示す方向に取り出される。
【００２５】
図６はカード取り出し部の一例を示す図である。図６（ａ）に示すカード取り出し部６０はカード取り出し部本体６１にカード吸引ユニット６２ａ〜６２ｄを備えたもので、カード吸引ユニット６２ａ〜６２ｄはカード取り出し部本体６１の内部で配管され、図示しない例えば真空ポンプで矢印６３で示される方向に吸引される。その結果、個別情報や有効期限等の設定データの書き込み処理をされるカード４２ａが上記４個のカード吸引ユニット６２ａ〜６２ｄに吸引保持される。上記真空ポンプで吸引するほかに、カード吸引ユニットの先端に吸盤を設けても良い。
【００２６】
図６（ｂ）はカード４２ａの吸引位置を示す図で、カード４２ａの四隅に対応する６４ａ〜６４ｄの位置が吸引される。即ち、カード吸引ユニット６２ａ〜６２ｄは上記６４ａ〜６４ｄの位置を吸引するように備えられている。
【００２７】
カード４２ａの四隅に対応する６４ａ〜６４ｄの位置を吸引することにとって通常のプラスチックカードのようにしなやかさがなく、また高い剛性を有する基材ではなく一定の剛性を持つような紙（上質紙、特殊紙、コート紙など）基材のカードや、ＰＬＡやＰＨＢのようなプラスチックカード、重度の軟性をもつ紙やプラスチックカード、あるいは紙、プラスチックが各種コンパウンドされている基材を反りのない状態で図示しないカード搬送部に移送することが出来、その結果、カード搬送部の下流に設けられた処理部においてもカードの反りがない状態で処理をすることが出来る。
【００２８】
図６に示すカード取り出し部６０のカード取り出し部本体６１に備えられたカード吸引ユニット６２ａ〜６２ｄは４個の場合を例示したものであるが、更に図７に示すカード取り出し部７０は５個のカード吸引ユニット７２ａ〜７２ｅを備えた場合を示す図である。図７（ａ）に示されるカード取り出し部７０はカード取り出し部本体７１に５個のカード吸引ユニット７２ａ〜７２ｅを備えている。
【００２９】
図７（ｂ）はカード吸引ユニット７２ａ〜７２ｅによるカード４２ａの吸引位置を示す図で、カード４２ａの四隅に対応する７４ａ〜７４ｄの位置と、カード４２ａの中央部のの位置７４ｅを吸引するようにカード吸引ユニット７２ａ〜７２ｅが備えられている。カード４２ａの四隅と中央部に対応する７４ａ〜７４ｅの位置を吸引することによって特に重度の軟性をもつ紙やプラスチックカード、あるいは紙、プラスチックが各種コンパウンドされている基材を反りのない状態で図示しないカード搬送部に移送することが出来、その結果、カード搬送部の下流に設けられた処理部においてもカードの反りがない状態で処理をすることが出来る。
【００３０】
図８は図５（ａ）に示す複数のカード４２を横積みタイプのカードストック部４１から吸引保持してカードを取り出すカード取り出し部６０を示す図である。カード取り出し部６０は先ず、矢印４４ａで示される方向に下降した後、カード４２ａを吸引保持する。次に吸引保持した状態で矢印４４ｂに示す方向に上昇し、更に矢印８１で示す方向と矢印８
２で示す方向に移動する。カード４２ａをカード搬送部３４に移送した後に吸引を解除する。その後カード搬送部３４に載置されたカード４２ａは処理部に送られ個別情報や有効期限等の設定データが書き込まれる。上記４４ａ、４４ｂ、８１、８２の矢印で示される方向へのカード取り出し部６０の移動は、一般的に用いられる機械搬送制御技術によって達成できる。
【００３１】
図９は図５（ａ）に示す複数のカード４２を縦積みタイプのカードストック部５１のカードを吸引保持してカードを取り出すカード取り出し部６０を示す図である。カード取り出し部６０は先ず、矢印５４ａで示される方向に移動した後、カード５２ａを吸引保持する。次に吸引保持した状態で矢印５４ｂに示す方向に移動し、更に矢印８３で示す方向に回転した後、矢印８４で示す方向に下降することによって、カード５２ａをカード搬送部３４に移送した後に吸引を解除する。その後カード搬送部３４に載置されたカード５２ａは処理部に送られ個別情報や有効期限等の設定データが書き込まれる。上記５４ａ、５４ｂ、８３、８４の矢印で示される方向へのカード取り出し部６０の移動は、一般的に用いられる機械搬送制御技術によって達成できる。
【００３２】
本発明に係るカード取り出し部本体に備えられたカード吸引ユニットの効果を確認するために比較例１及び比較例２と実施例とを比較した。比較例１及び比較例２と実施例では共に紙１層の基材を用いた厚さ７６０μｍの紙カード３枚をカード吸引ユニットを設けたカード取り出し部を用いて取り出し、その場合のカードの反り量を測定した。ここでいう反り量とは、図１０に示すように取り出されたカードが平面に載置された場合の平面に対するカードの離れた量（Ｌ：ｍｍ）を指す。
【００３３】
比較例１ではカード吸引ユニットを図１１（ａ）で示すようにカード吸引ユニットをカードの中央より右に寄った位置に設け、比較例２では図１１（ｂ）で示すようにカードの中央を吸引する位置に設け、実施例ではカード吸引ユニットを図１１（ｃ）で示すようにカードの四隅の位置に設けた。
【００３４】
比較例１での結果を表１に、比較例２での結果を表２に、実施例での結果を表３に示す。
【００３５】
【表１】
2013097502.tif 000003
【００３６】
【表２】
2013097502.tif 000004
【００３７】
【表３】
2013097502.tif 000005
【００３８】
比較した結果、カード吸引ユニットを比較例１のカードの中央より右に寄った位置に設けた場合と比較して、比較例２のカードの中央の位置に設けた場合は反り量は小さくなるが、個別情報や有効期限等の設定データを書き込んだ際に書き込みエラーが発生する場合がある。また、実施例のカードの四隅の位置に設けた場合の反り量は、比較例２より更に小さく書き込みエラーが発生することがなかった。
【００３９】
更に、重度の軟性をもつ紙やプラスチックカード、あるいは紙のような基材の場合には、図１１（ｄ）で示すようにカード吸引ユニットをカードの四隅と中央部の位置の計５個設けることによって反り量を小さくすることが出来る。
【００４０】
上記説明では、カードの供給装置をパーソナライズ装置のカードストック部からカードを取り出す場合を例示したが、これに限定されず広くカードを供給して絵柄や文字等を印刷する装置にも広く適用することが出来る。
【００４１】
このように本発明によるカード供給装置及びカード供給方法によれば、カードが例えば、通常のプラスチックカードのようにしなやかさがなく、また高い剛性を有する基材ではなく一定の剛性を持つような紙（上質紙、特殊紙、コート紙など）基材のカードや、ＰＬＡ（ポリ乳酸）やＰＨＢ（ポリヒドロキシ酪酸）のようなプラスチックカード、あるいは重度の軟性をもつ紙やプラスチックカード、あるいは紙、プラスチックが各種コンパウンドされている基材においても、カードの反り量が少なく、その結果、個別情報や有効期限等の設定データを書き込んだ際に書き込みエラーが発生するすることを防ぐことが可能となる。
【符号の説明】
【００４２】
１・・・・カードストック部
２ａ・・・複数のカード
２ｂ・・・処理予定のカード
２ｃ・・・書き込み処理が行われたカード
３・・・・フィーダー用コロ
４・・・・搬送レーン
５・・・・処理部
６・・・・カード収納部
７・・・・カードを搬送する方向を示す矢印
１１・・・カードストック部
１２ａ・・複数のカード
１２ｂ・・処理予定のカード
１２ｃ・・書き込み処理が行われたカード
１３・・・吸引ユニット
１４・・・処理部
１５・・・カード収納部
１７・・・カードを搬送する方向を示す矢印
１８・・・カードを引き出す方向を示す矢印
２３・・・吸引ユニット
３０・・・パーソナライズ装置
３１・・・カード供給装置
３２・・・カードストック部
３３・・・カード取り出し部
３４・・・カード搬送部
３５・・・処理部
３６・・・カード収納部
４１・・・カードストック部
４２・・・複数のカード
４２ａ・・最上段のカード
４３・・・カードを押し上げる方向を示す矢印
４４・・・カード４２ａが取り出される方向を示す矢印
４４ａ・・カード取り出し部が下降する方向を示す矢印
４４ｂ・・カード取り出し部が上昇する方向を示す矢印
５１・・・カードストック部
５２・・・複数のカード
５２ａ・・右端のカード
５３・・・カードが押し出される方向を示す矢印
５４・・・カード５２ａが搬送される方向を示す矢印
５４ａ、５４ｂ・・・カード取り出し部が移動する方向を示す矢印
６０・・・カード取り出し部
６１・・・カード取り出し部本体
６２ａ〜６２ｄ・・・カード吸引ユニット
６３・・・カード吸引ユニットの吸引方向を示す矢印
６４ａ〜６４ｄ・・・カード４２ａの四隅に対応する位置
７０・・・カード取り出し部
７１・・・カード取り出し部本体
７２ａ〜７２ｅ・・・カード吸引ユニット
７４ａ〜７４ｄ・・・カード４２ａの四隅に対応する位置
７４ｅ・・カード４２ａの中央部の位置
８１、８２・・・カード取り出し部が移動する方向を示す矢印
８３・・・カード取り出し部が回転する方向を示す矢印
８４・・・カード取り出し部が下降する方向を示す矢印
【図１】
2013097502.tif 000006
【図２】
2013097502.tif 000007
【図３】
2013097502.tif 000008
【図４】
2013097502.tif 000009
【図５】
2013097502.tif 000010
【図６】
2013097502.tif 000011
【図７】
2013097502.tif 000012
【図８】
2013097502.tif 000013
【図９】
2013097502.tif 000014
【図１０】
2013097502.tif 000015
【図１１】
2013097502.tif 000016